(57)【要約】【課題】チョークコイルの温度上昇を抑えて、フィルターボックス内の電波漏洩を抑制し、バックヒートを改善し得るマグネトロンを提供する。【解決手段】  サイドリード側チョークコイル３８よりもセンターリード側チョークコイル３７の方が熱容量が大きくなるように、サイドリード側チョークコイル３８の磁性体コア５０ａよりもセンターリード側チョークコイル３７の磁性体コア４０ａの方の直径を大きくした。これにより、センターリード側チョークコイル３７の温度が上がり難くなって過熱し難くなり、磁性体コア４０ａの透磁率が低下してマイクロ波の漏洩が増大してしまうことを防ぐことができる。かくして、本実施の形態のマグネトロン１は、センターリード側チョークコイル３７の温度上昇を抑えて、フィルターボックス３内のマイクロ波の漏洩を抑制し、バックヒートを改善してノイズを低減できる。【選択図】図２
2015064962.tif 000002
【特許請求の範囲】
【請求項１】
マグネトロン本体の一対の陰極端子を覆うフィルターボックスと、
前記一対の陰極端子に接続され、前記フィルターボックスに収容された一対のチョークコイルと、
前記チョークコイルに接続され、前記チョークコイルとともにフィルター回路を構成するコンデンサと、
を具備し、
前記一対のチョークコイルは、陰極センターリード側のチョークコイルと、陰極サイドリード側のチョークコイルとでなり、それぞれ前記陰極端子に接続された空芯型インダクタと、磁性体コアを備え前記空芯側インダクタに直列接続されたコア型インダクタとを有し、さらに、前記陰極センターリード側のチョークコイルの方が前記陰極サイドリード側のチョークコイルよりも熱容量が大きくなるように、前記陰極センターリード側のチョークコイルと前記陰極サイドリード側のチョークコイルとが非対称となっている
ことを特徴とするマグネトロン。
【請求項２】
前記陰極センターリード側のチョークコイルの方が前記陰極サイドリード側のチョークコイルよりも熱容量が大きくなるように、前記陰極センターリード側のチョークコイルの磁性体コアの方が、前記陰極サイドリード側のチョークコイルの磁性体コアよりも直径が大きい
ことを特徴とする請求項１に記載のマグネトロン。
【請求項３】
前記陰極センターリード側のチョークコイルの方が前記陰極サイドリード側のチョークコイルよりも熱容量が大きくなるように、前記陰極センターリード側のチョークコイルの磁性体コアの方が、前記陰極サイドリード側のチョークコイルの磁性体コアよりも体積が大きい
ことを特徴とする請求項１に記載のマグネトロン。
【請求項４】
前記陰極センターリード側のチョークコイルの方が前記陰極サイドリード側のチョークコイルよりも熱容量が大きくなるように、前記陰極センターリード側のチョークコイルの方が、前記陰極サイドリード側のチョークコイルよりもワイヤが太い
ことを特徴とする請求項１に記載のマグネトロン。
【請求項５】
前記陰極センターリード側のチョークコイルの方が前記陰極サイドリード側のチョークコイルよりも熱容量が大きくなるように、前記陰極センターリード側のチョークコイルの方が、前記陰極サイドリード側のチョークコイルよりもワイヤの巻き数が多い
ことを特徴とする請求項１に記載のマグネトロン。
【請求項６】
前記陰極センターリード側のチョークコイルの方が前記陰極サイドリード側のチョークコイルよりも熱容量が大きくなるように、前記陰極センターリード側のチョークコイルの磁性体コアの方が、前記陰極サイドリード側のチョークコイルの磁性体コアよりも長い
ことを特徴とする請求項１に記載のマグネトロン。
【発明の詳細な説明】
【技術分野】
【０００１】
本発明は、マグネトロンに関するものであり、特に、フィルターボックス内に配置するチョークコイルに係るものである。
【背景技術】
【０００２】
マグネトロンは、発振部と入力部と出力部とを有している。発振部は、陽極円筒とこの内側に配置された複数のベインとからなる陽極部と、陽極円筒の中心軸、すなわち管軸に配置されたフィラメントの陰極部と、陽極円筒の管軸方向の両端面に配置された一対のポールピースとで構成されている。
【０００３】
入力部は、発振部の一方のポールピースを貫通して延びる陰極リードを支持するステムを有し、出力部は、発振部の他方のポールピースを貫通して延びるアンテナを有している。一対のポールピースは、それぞれ永久磁石で挟まれ、陽極部と陰極部との間の作用空間に磁束を収束させる。
【０００４】
このような構成でなるマグネトロンは、入力部から陰極部にフィラメント電流を供給し、陽極部と陰極部との間に電圧を印加すると、マイクロ波発振し、出力部からマイクロ波を出力する。一般的な電子レンジ用のマグネトロンの場合、発振周波数は２４５０ＭＨｚである。発振出力の一部は、入力部から漏洩して外部機器の障害となる為、入力部をフィルターボックスでシールドして電波漏洩を防止している。また、発振出力は、２４５０ＭＨｚの基本波だけでなく、電子擾乱などによって広い帯域にわたる周波数の電波を発振しており、フィルターボックスはこれらの電波の漏洩も阻止している。
【０００５】
フィルターボックスは、外部電源に接続され、外部入力端子を兼ねる一対の貫通コンデンサを有している。また、フィルターボックス内には、一対の陰極端子と一対の貫通コンデンサとの間にそれぞれ接続された一対のチョークコイルが配置されている。
【０００６】
一対のチョークコイルは、対称でなり、磁性体コアを有するコイル状のコア型インダクタと空芯コイルの空芯型インダクタを直列接続したものからなっている。
【０００７】
フィルター回路を構成するチョークコイルは、陰極部から漏洩するマイクロ波を熱として消費する。また、チョークコイルは、過熱で磁性体コアの透磁率が低下するとインダクタンスが低下し、マイクロ波の漏洩が増大する。さらに、空芯型インダクタは、漏洩波の最大成分である２４５０ＭＨｚの基本波の定在波の最大振幅部をこのインダクタ内に位置させて減衰させ、コア型インダクタに至らないようにし、コア型インダクタの負担を軽減している（例えば特許文献１参照）。
【先行技術文献】
【特許文献】
【０００８】
【特許文献１】特開２０１３−７７５１６号公報
【発明の概要】
【発明が解決しようとする課題】
【０００９】
ここで、図３に、陰極リードのセンターリード側にのみチョークコイルを配置した場合と、サイドリード側にのみチョークコイルを配置した場合の２つの配置パターンでのフィルターボックス内の漏洩電力を示す。
【００１０】
尚、この漏洩電力は、一般的な電子レンジ用マグネトロンのフィルターボックス内で測定したものであり、このマグネトロンの負荷特性を表すリーケ線図を図４に示す。このリーケ線図は、極座標表示されたインピーダンス線図上に一定出力及び一定周波数を等高線で表すものであり、半径方向の座標が負荷に対する定在波比を示し、円周方向の座標が定在波の位相（λｇ）を示している。
【００１１】
図３は、このような負荷特性を有するマグネトロンの定在波比を３に固定して、定在波の位相（λｇ）を、０．０００λｇ〜０．５００λｇまで所定刻みで変化させながら、フィルターボックス内の漏洩電力を、各配置パターンで測定したときの測定結果を示している。
【００１２】
この図３からわかるように、フィルターボックス内では、陰極リードのサイドリード側にのみチョークコイルを配置した場合（センターリード側チョークコイルレス）の方が、センターリード側にのみチョークコイルを配置した場合（サイドリード側チョークコイルレス）よりも漏洩電力が大きい。
【００１３】
このことは、漏洩電力が、陰極リードのサイドリード側の陰極端子からよりもセンターリード側の陰極端子から大きく漏洩していることを意味する。
【００１４】
この為、センターリード側とサイドリード側の両側にチョークコイルが配置されていると、サイドリード側のチョークコイルよりもセンターリード側のチョークコイルの方が、漏洩するマイクロ波を熱として多く消費することにより温度が高くなり、さらにはバックヒート（電子逆衝撃）を悪化させるなどの悪影響を及ぼす。
【００１５】
そこで、本発明は、上記課題を解決する為になされたものであり、チョークコイルの温度上昇を抑えてバックヒートを改善し得るマグネトロンを提供することを目的とする。
【課題を解決するための手段】
【００１６】
上記目的を達成する為に、本発明に係るマグネトロンは、マグネトロン本体の一対の陰極端子を覆うフィルターボックスと、前記一対の陰極端子に接続され、前記フィルターボックスに収容された一対のチョークコイルと、前記チョークコイルに接続され、前記チョークコイルとともにフィルター回路を構成するコンデンサと、を具備し、前記一対のチョークコイルは、陰極センターリード側のチョークコイルと、陰極サイドリード側のチョークコイルとでなり、それぞれ前記陰極端子に接続された空芯型インダクタと、磁性体コアを備え前記空芯側インダクタに直列接続されたコア型インダクタとを有し、さらに、前記陰極センターリード側のチョークコイルの方が前記陰極サイドリード側のチョークコイルよりも熱容量が大きくなるように、前記陰極センターリード側のチョークコイルと前記陰極サイドリード側のチョークコイルとが非対称となっている、ことを特徴とする。
【発明の効果】
【００１７】
本発明によれば、チョークコイルの温度上昇を抑えて、フィルターボックス内の電波漏洩を抑制し、バックヒートを改善し得るマグネトロンを提供できる。
【図面の簡単な説明】
【００１８】
【図１】本発明に係るマグネトロンの一実施の形態における全体の縦断面図である。
【図２】本発明に係るマグネトロンの一実施の形態におけるフィルターボックスの横断面図である。
【図３】従来のマグネトロンにおいて、チョークコイルを片側配置にした場合のフィルターボックス内の漏洩電力を示すグラフである。
【図４】従来のマグネトロンの負荷特性を示すリーケ線図である。
【発明を実施するための形態】
【００１９】
本発明に係るマグネトロンの一実施の形態を、図面を参照して説明する。尚、以下の実施の形態は、単なる例示であり、本発明はこれに限定されるものではない。
【００２０】
図１は、本実施の形態のマグネトロン１全体の概略を示す縦断面図であり、図２は、マグネトロン１の一部分を示す横断面図である。このマグネトロン１は、２４５０ＭＨｚ帯の基本波を発生する電子レンジ用のマグネトロンである。
【００２１】
以下、図１及び図２を用いて詳しく説明するが、本実施の形態のマグネトロン１は、センターリード側のチョークコイル３７（図２参照）とサイドリード側のチョークコイル３８（図２参照）とを、サイドリード側のチョークコイル３８よりもセンターリード側のチョークコイル３７の方が熱容量が大きくなるように、非対称としたものである。
【００２２】
尚、この場合の熱容量を大きくするという言葉には、所定熱量に対して温度を上昇しにくくすることと、熱放散を大きくすることとが含まれているものとする。つまり、熱容量を大きくするということは、所定熱量に対して温度を上昇しにくくすると共に、熱放散を大きくすることを意味する。
【００２３】
マグネトロン１は、マグネトロン本体２と、フィルターボックス３とを有している。マグネトロン本体２は、発振部４と入力部５と出力部６とで構成され、発振部４の管軸ｍ方向の一端側に入力部５が設けられ、他端側に出力部６が設けられている。
【００２４】
尚、管軸ｍは、マグネトロン本体２の中心軸である。また、以下の説明では、マグネトロン本体２の管軸ｍ方向の一端側を下端側及び入力側と定義すると共に、他端側を上端側及び出力側と定義する。
【００２５】
発振部４は、陽極部７と陰極部８とで構成され、陽極部７は、陽極円筒９と、この陽極円筒９の内周面から管軸ｍに向かって突出した複数個のベイン１０とを有している。
【００２６】
陰極部８は、フィラメント１１と、一対のエンドハット１２、１３と、陰極センターリード１４と、陰極サイドリード１５とを有している。フィラメント１１は、管軸ｍ上に配設されていて、エンドハット１２、１３は、フィラメント１１の上下両端部に設けられている。
【００２７】
陰極センターリード１４は、フィラメント１１の中心を貫通して上端がエンドハット１２に固定され、当該エンドハット１２を介してフィラメント１１と接続されている。陰極サイドリード１５は、上端がエンドハット１３に固定され、当該エンドハット１３を介してフィラメント１１と接続されている。また、陰極センターリード１４と陰極サイドリード１５は、それぞれその下端が、マグネトロン本体２の下端側に位置する入力部５に向かって延びている。
【００２８】
ベイン１０は、その先端である遊端が、フィラメント１１との間に所定の間隔を保つように配設されている。ベイン１０の遊端とフィラメント１１との間に形成される環状空間が作用空間となっている。
【００２９】
陽極円筒９の上下両端部には、略漏斗状（略すり鉢状）の一対のポールピース１６、１７が、作用空間を管軸ｍ方向に挟んで対向して設けられている。陽極円筒９の下端側に設けられている入力側のポールピース１７の下方には、フィラメント印加用電流及びマグネトロン駆動用高電圧を供給する為の入力部５が設けられている。入力部５は、陰極センターリード１４及び陰極サイドリード１５を中継端子１８で保持すると共にこれらをそれぞれ後述する陰極端子３０、３１（図２参照）として外部に導出するセラミックステム１９を有している。
【００３０】
入力部５は、管軸ｍ方向に延びる筒状の金属封着体２０により、陽極円筒９と真空気密に接合され、フィルターボックス３に覆われている。
【００３１】
また、陽極円筒９の上端側に設けられている出力側のポールピース１６の上方には、マイクロ波を伝送し放射する為のアンテナリード２１を有する出力部６が設けられている。
【００３２】
出力部６は、アンテナリード２１と、絶縁筒２２と、排気管２３とを有している。排気管２３は、絶縁筒２２の上端に接合されている。アンテナリード２１は、下端が複数のベイン１０のうちの１つに接続され、上端が管軸ｍに沿って上方へと延び、絶縁筒２２内を通り排気管２３に挟持され固定されている。
【００３３】
出力部６は、管軸ｍ方向に延びる筒状の金属封着体２４により、陽極円筒９と真空気密に接合されている。
【００３４】
入力側のポールピース１７の下方と出力側のポールピース１６の上方には、金属封着体２０、２４の外周側に、一対のフェライトでなる環状永久磁石２５、２６が、陽極円筒９を管軸ｍ方向に挟んで対向して設けられている。
【００３５】
陽極円筒９と、環状永久磁石２５、２６は、枠状ヨーク２７、２８により覆われている。環状永久磁石２５、２６は、ポールピース１６、１７と対向する下面とポールピース１６、１７とが磁気的に結合されると共に、その反対側の上面と枠状ヨーク２７、２８とが磁気的に結合されることにより形成された磁気回路によって、ベイン１０とフィラメント１１との間の作用空間に磁界を供給している。
【００３６】
マグネトロン１の構成の概略は、以上のようになっている。
【００３７】
次に、図２を用いて、フィルターボックス３とその内部の構成について、さらに詳しく説明する。
【００３８】
フィルターボックス３に覆われる入力部５は、中継端子１８と、セラミックステム１９と、陰極センターリード１４及び陰極サイドリード１５にそれぞれ接続された一対の陰極端子３０、３１とを有している。
【００３９】
フィルターボックス３の側壁には、その側壁を貫通する２端子の貫通コンデンサ３２が取り付けられている。この貫通コンデンサ３２は、フィルターボックス３の外側に位置する２端子３３、３４と、内側に位置する２端子３５、３６とを有している。尚、内側に位置する２端子３５、３６を、以下、内側端子３５、３６とも呼ぶ。
【００４０】
一対の陰極端子３０、３１は、フィルターボックス３内のほぼ中央に位置していて、この陰極端子３０、３１と、貫通コンデンサ３２の内側端子３６、３６のそれぞれとの間には、ワイヤを螺旋状に巻いたチョークコイル３７、３８が直列接続されている。このチョークコイル３７、３８と、貫通コンデンサ３２により、フィルター回路が形成されている。
【００４１】
ここで、陰極センターリード１４に接続された陰極端子３０と、内側端子３５との間に接続されているチョークコイル３７を、センターリード側チョークコイル３７と呼び、陰極サイドリード１５に接続された陰極端子３１と、内側端子３６との間に接続されているチョークコイル３８を、サイドリード側チョークコイル３８と呼ぶことにする。
【００４２】
センターリード側チョークコイル３７は、フェライトなどの円柱状の磁性体コア４０ａを持つコイルでなるコア型インダクタ４０と、疎巻きの空芯コイルでなる空芯型インダクタ４１とを直列接続したものである。このセンターリード側チョークコイル３７は、空芯型インダクタ４１側が所定長の折り曲げ配線４２を介して陰極端子３０に接続され、コア型インダクタ４０側が内側端子３５に接続されている。
【００４３】
尚、センターリード側チョークコイル３７のコア型インダクタ４０のコイルは、その中間部分で磁性体コア４０ａが露出するように分割巻きされている。
【００４４】
一方、サイドリード側チョークコイル３８は、フェライトなどの円柱状の磁性体コア５０ａを持つコイルでなるコア型インダクタ５０と、疎巻きの空芯コイルでなる空芯型インダクタ５１とを直列接続したものである。このサイドリード側チョークコイル３８は、空芯型インダクタ５１側が所定長の折り曲げ配線５２を介して陰極端子３１に接続され、コア型インダクタ５０側が内側端子３６に接続されている。
【００４５】
尚、サイドリード側チョークコイル３８のコア型インダクタ５０のコイルも、その中間部分で磁性体コア５０ａが露出するように分割巻きされている。また、ここでは、一例として、センターリード側チョークコイル３７のコア型インダクタ４０のコイルと、サイドリード側チョークコイル３８のコア型インダクタ５０のコイルを、それぞれ分割巻きとしたが、それぞれ分割巻きでなくてもよい。
【００４６】
フィルターボックス３内では、陰極端子３０、３１を通して漏洩するマイクロ波のうち、２４５０ＭＨｚの基本波成分が最大となる。ゆえに、センターリード側チョークコイル３７は、この基本波の１／４波長に相当する位置、すなわち漏洩マイクロ波の振幅が最大となる位置が、空芯型インダクタ４１内となるように、折り曲げ配線４２を含めた長さが設定されている。
【００４７】
同様に、サイドリード側チョークコイル３８も、基本波の１／４波長に相当する位置、すなわち漏洩マイクロ波の振幅が最大となる位置が、空芯型インダクタ５１内となるように、折り曲げ配線５２を含めた長さが設定されている。
【００４８】
こうすることで、漏洩するマイクロ波の大部分が、空芯型インダクタ４１、５１で吸収される。空芯型インダクタ４１、５１は、周囲の空気等を利用して冷却できる為、疎巻きの空芯型インダクタ４１、５１の最大発熱部をコア型インダクタ４０、５０から離すことにより、コア型インダクタ４０、５０の温度上昇が抑制され、センターリード側チョークコイル３７及びサイドリード側チョークコイル３８のそれぞれのインダクタンスの低下を抑制できる。
【００４９】
そして、これらセンターリード側チョークコイル３７とサイドリード側チョークコイル３８が、対称ではなく非対称となっている。
【００５０】
すなわち、センターリード側チョークコイル３７とサイドリード側チョークコイル３８は、ともにコア型インダクタ４０、５０と空芯型インダクタ４１、５１とを直列接続した構成であるものの、センターリード側チョークコイル３７の磁性体コア４０ａの直径Ｌ１が、サイドリード側チョークコイル３８の磁性体コア５０ａの直径Ｌ２よりも大きくなっている。
【００５１】
尚、本実施の形態では、磁性体コア４０ａの方が磁性体コア５０ａよりも直径が大きくなっていることにともなって、センターリード側チョークコイル３７の方がサイドリード側チョークコイル３８よりも径が大きくなっている。
【００５２】
実際、従来の問題として述べたように、フィルターボックス３内では、マイクロ波が、陰極サイドリード１５側の陰極端子３１からよりも陰極センターリード１４側の陰極端子３０から大きく漏洩する。
【００５３】
この為、サイドリード側チョークコイル３８よりもセンターリード側チョークコイル３７の方が、漏洩するマイクロ波を熱として多く消費する。ゆえに、センターリード側チョークコイル３７とサイドリード側チョークコイル３８とが、従来のように対称であった場合、センターリード側チョークコイル３７の方が過熱し易い。そして、実際に、センターリード側チョークコイル３７が過熱してしまうと、磁性体コア４０ａの透磁率が低下してインダクタンスが低下し、マイクロ波の漏洩が増大する。
【００５４】
そこで、本実施の形態では、サイドリード側チョークコイル３８よりもセンターリード側チョークコイル３７の方が漏洩するマイクロ波を熱として多く消費する点に着目して、サイドリード側チョークコイル３８よりもセンターリード側チョークコイル３７の方が熱容量が大きくなるように、サイドリード側チョークコイル３８の磁性体コア５０ａよりもセンターリード側チョークコイル３７の磁性体コア４０ａの方の直径を大きくした。
【００５５】
このように、センターリード側チョークコイル３７の熱容量を大きくすれば、温度上昇が抑えられ、過熱し難くなる。この結果、センターリード側チョークコイル３７の磁性体コア４０ａの透磁率が低下してマイクロ波の漏洩が増大してしまうことを防ぐことができるので、全体として、フィルターボックス３内のマイクロ波の漏洩を抑制して、バックヒートを改善し、ノイズを低減できる。
【００５６】
また、本実施の形態では、サイドリード側チョークコイル３８の磁性体コア５０ａが、センターリード側チョークコイル３７の磁性体コア４０ａよりも直径が小さくなっているが、磁性体コア５０ａの直径Ｌ２が小さすぎると、サイドリード側チョークコイル３８が過熱し易くなってしまうので、従来と同程度の大きさ（例えば３．０ｍｍ〜４．５ｍｍ）に設定されているものとする。
【００５７】
ここまで説明したように、本実施の形態のマグネトロン１は、サイドリード側チョークコイル３８よりもセンターリード側チョークコイル３７の方が熱容量が大きくなるように、サイドリード側チョークコイル３８の磁性体コア５０ａよりもセンターリード側チョークコイル３７の磁性体コア４０ａの方の直径を大きくした。
【００５８】
これにより、センターリード側チョークコイル３７の温度が上がり難くなって過熱し難くなり、この結果、磁性体コア４０ａの透磁率が低下してマイクロ波の漏洩が増大してしまうことを防ぐことができる。かくして、本実施の形態のマグネトロン１は、センターリード側チョークコイル３７の温度上昇を抑えて、フィルターボックス３内のマイクロ波の漏洩を抑制し、バックヒートを改善してノイズを低減できる。
【００５９】
すなわち、本実施の形態によれば、従来のマグネトロンと比較して、一段と良好な特性を有するマグネトロンを提供できる。
【００６０】
尚、上述した実施の形態では、サイドリード側チョークコイル３８よりもセンターリード側チョークコイル３７の方が熱容量が大きくなるように、サイドリード側チョークコイル３８の磁性体コア５０ａよりもセンターリード側チョークコイル３７の磁性体コア４０ａの方の直径を大きくした。
【００６１】
これに限らず、センターリード側チョークコイル３７とサイドリード側チョークコイル３８が非対称で、サイドリード側チョークコイル３８よりもセンターリード側チョークコイル３７の方が熱容量が大きくなるのであれば、例えば、サイドリード側チョークコイル３８の磁性体コア５０ａよりもセンターリード側チョークコイル３７の磁性体コア４０ａの方の中心軸方向の長さを長くしてもよいし、体積を大きくしてもよい。尚、例えば、サイドリード側チョークコイル３８の磁性体コア５０ａよりもセンターリード側チョークコイル３７の磁性体コア４０ａの方の中心軸方向の長さを長くした場合、センターリード側チョークコイル３７の磁性体コア４０ａの直径Ｌ１と、サイドリード側チョークコイル３８の磁性体コア５０ａの直径Ｌ２とが同寸であっても構わない。
【００６２】
またこれに限らず、サイドリード側チョークコイル３８よりもセンターリード側チョークコイル３７の方のワイヤの径を大きく（すなわちワイヤを太く）してもよいし、ワイヤの巻き数を多くしてもよい。
【００６３】
さらにこれに限らず、サイドリード側チョークコイル３８よりもセンターリード側チョークコイル３７の方が熱容量が大きくなるのであれば、磁性体コアの直径、体積、ワイヤの径、巻き数以外の部分を、センターリード側チョークコイル３７とサイドリード側チョークコイル３８とで異なるようにしてもよい。
【００６４】
また、上述した実施の形態では、入力部５をフィルターボックス３で覆うようにしたが、このフィルターボックス３の側壁に、空気の通り道となる複数の孔（図示せず）を設けるようにしてもよい。
【００６５】
さらに、フィルターボックス３の外側に、例えばファン等の送風装置を設け、この送風装置により送られてくる空気が、側壁の孔を通ってフィルターボックス３内を通り抜けるようにしてもよい。
【００６６】
このようにすれば、フィルターボックス３内を通り抜ける空気によって、センターリード側チョークコイル３７とサイドリード側チョークコイル３８が冷却される。尚、このときの空気が流れる方向は、冷却効果を考慮すると、例えば、図２に矢印で示すように、サイドリード側チョークコイル３８側からセンターリード側チョークコイル３７側への方向、又はその逆方向とすることが望ましい。
【００６７】
またこの場合、サイドリード側チョークコイル３８の磁性体コア５０ａよりもセンターリード側チョークコイル３７の磁性体コア４０ａの方の直径が大きいことにより、サイドリード側チョークコイル３８よりもセンターリード側チョークコイル３７の方が、フィルターボックス３内を通り抜ける空気に触れる面積が大きくなる。この結果、サイドリード側チョークコイル３８よりもセンターリード側チョークコイル３７の方が空気に触れることによる冷却効果が高くなり過熱し難くなる。
【００６８】
すなわち、フィルターボックス３内を空気が通り抜けるようにしたうえで、サイドリード側チョークコイル３８よりもセンターリード側チョークコイル３７の方が熱容量が大きくなるように、サイドリード側チョークコイル３８の磁性体コア５０ａよりもセンターリード側チョークコイル３７の磁性体コア４０ａの方の直径を大きくすれば、センターリード側チョークコイル３７の温度が上がり難くなると共に冷却効果が高くなり、センターリード側チョークコイル３７を一層過熱し難くすることができる。
【符号の説明】
【００６９】
１…………マグネトロン、３……フィルターボックス、１４……陰極センターリード、１５……陰極サイドリード、３０、３１……陰極端子、３７、３８……チョークコイル、４０、５０……コア型インダクタ、４０ａ、５０ａ………磁性体コア、４１、５１……空芯型インダクタ。
【図１】
2015064962.tif 000003
【図２】
2015064962.tif 000004
【図３】
2015064962.tif 000005
【図４】
2015064962.tif 000006